(57)【特許請求の範囲】
【請求項１】
遮水シートと不織布などよりなる通水性緩衝層とを重合させた構造の止水用複合シートを、トンネル掘削坑道などの地山側に前記通水性緩衝層を対面させて展張し、遮水シートが剥離された状態の通水性緩衝層の縁部を地山側に釘打ちなどの止着手段により止着した土木工事用止水構造であって、可撓性のある硬質合成樹脂性の帯板により形成され、裏面には多数の係合突起が帯板の長手方向に沿って断続状に一体に形成された構造の係合面を有する止着用帯座を用い、前記止水用複合シートは、前記通水性緩衝層の前記縁部に沿った表面に前記止着用帯座の前記係合面が予め係合止着された状態で、通水性緩衝層の縁部が、前記止着用帯座を介して、前記止着手段により前記地山側に止着された土木工事用止水構造に用いる前記止着用帯座の製造方法において、
前記止着用帯座を、可撓性のある硬質合成樹脂性の帯板により形成し、その裏面には多数の係合突起が帯板の長手方向に沿って断続状に一体に形成された構造の係合面を設け、前記係合面は、前記帯座本体の長手方向に延びる係合形状の突条を、前記長手方向に交叉して数mm間隔で切り込みを入れて形成することにより、該突条を断続状に形成させるようにしたことを特徴とする止着用帯座の製造方法。
【請求項２】
請求項１に記載の土木工事用止水構造に用いる前記止着用帯座の製造方法において、
前記止着用帯座を、可撓性のある硬質合成樹脂性の帯板により形成し、その裏面には多数の係合突起が帯板の長手方向に沿って断続状に一体に形成された構造の係合面を設け、表面には長手方向に沿って一列若しくは複数列のリブ片を一体に形成し、前記係合面は、前記帯座本体の長手方向に延びる係合形状の突条を、前記長手方向に交叉して数mm間隔で切り込みを形成することにより該突条を断続状に形成させるようにするとともに、前記リブ片は、前記帯座本体の長手方向に延びる突条を、前記長手方向に交叉して数mm間隔で切り込みを形成することにより該突条を断続状に形成させるようにしたことを特徴とする止着用帯座の製造方法。
【発明の詳細な説明】
【０００１】
【発明の属する技術分野】
本発明は、主として、トンネル掘削坑道などの地山側面に、剥落防止用のコンクリートによる１次覆工を施した上で、遮水シートと不織布などよりなる通水性緩衝層とを重合させた構造の止水用複合シートを、通水性緩衝層を地山側面にして張設したトンネル工事などの土木工事用止水構造に使用する止着用帯座の製造方法に関するものである。
【０００２】
【従来の技術】
土木工事現場としてのトンネル施工現場において、その掘削坑道の地山からの湧水を坑道の側底に集排水させるために、所定幅の止水シートを、釘打ちなどの止着手段を介して、コンクリートの吹き付けによる１次覆工の面に展張止着する構造が、既に知られている（実公昭６２−３５７６０号公報を参照）。ここで使用される止水シートは、塩化ビニルシートやＥＶＡシートなどのプラスチック遮水シートと不織布などの通水性緩衝層とを重合させて構成した複合シートであり、その通水性緩衝層をトンネル地山側に対面させ、展張止着することで、湧水を止水シート面に沿って、坑道の側底に集排水することができる。また、通水緩衝層が２次覆工時に止水シートにかかる充填圧を緩和し、止水シートの破損を防止する。
【０００３】
【発明が解決しようとする課題】
上述の止水のための施工に際して、止水シートの展張止着には、従来、止水用複合シートを構成する通水性緩衝層の縁を、金属製の帯座（座板バー）を介して、釘打ちなどの止着手段で止着する方法が採用されている。しかし、前記帯座を通水性緩衝層の縁部に合わせて、釘打ちなどの止着手段を用いて止着する施工は、前記止水用複合シートと共に、前記帯座を作業者が手で支えながら行わなければならない。このような作業形態では、止水用複合シートは重量的にも重く、また、金属製の帯座（座板バー）は短尺であって、作業性が悪く、施工時間、施工精度にも悪影響が及ぶ恐れがある。
【０００４】
本発明は、上記事情に基づいてなされたもので、止水用複合シートを構成する不織布などよりなる通水性緩衝層に、面ファスナーのような係合が可能な係合面を持った止着用帯座を、予め係合保持させておいてから、釘打ちなどの止着手段により、前記止着用帯座を介して止水用複合シートを地山側に対して容易に止着できるようにした土木工事用止水構造に用いる止着用帯座の製造方法を提供しようとするものである。
【０００５】
【課題を解決するための手段】
このため、本発明では、図示の実施例でも明らかにしたように、遮水シートと不織布などよりなる通水性緩衝層とを重合させた構造の止水用複合シートを、トンネル掘削坑道などの地山側に前記通水性緩衝層を対面させて展張し、遮水シートが剥離された状態の通水性緩衝層の縁部を地山側に釘打ちなどの止着手段により止着した土木工事用止水構造であって、可撓性のある硬質合成樹脂性の帯板により形成され、裏面には多数の係合突起が帯板の長手方向に沿って断続状に一体に形成された構造の係合面を有する止着用帯座を用い、前記止水用複合シートは、前記通水性緩衝層の前記縁部に沿った表面に前記止着用帯座の前記係合面が予め係合止着された状態で、通水性緩衝層の縁部が、前記止着用帯座を介して、前記止着手段により前記地山側に止着された土木工事用止水構造に用いる前記止着用帯座の製造方法を前提としている。
【０００６】
本発明では、上記止着用帯座の製造方法において、前記止着用帯座を、可撓性のある硬質合成樹脂性の帯板により形成し、その裏面には多数の係合突起が帯板の長手方向に沿って断続状に一体に形成された構造の係合面を設け、前記係合面は、前記帯座本体の長手方向に延びる係合形状の突条を、前記長手方向に交叉して数mm間隔で切り込みを入れて形成することにより、該突条を断続状に形成させるようにしたことを特徴としている。
【０００７】
さらに、本発明では、上記止着用帯座の製造方法において、前記止着用帯座を、可撓性のある硬質合成樹脂性の帯板により形成し、その裏面には多数の係合突起が帯板の長手方向に沿って断続状に一体に形成された構造の係合面を設け、表面には長手方向に沿って一列若しくは複数列のリブ片を一体に形成し、前記係合面は、前記帯座本体の長手方向に延びる係合形状の突条を、前記長手方向に交叉して数mm間隔で切り込みを形成することにより該突条を断続状に形成させるようにするとともに、前記リブ片は、前記帯座本体の長手方向に延びる突条を、前記長手方向に交叉して数mm間隔で切り込みを形成することにより該突条を断続状に形成させるようにしたことを特徴としている。
【０００８】
【０００９】
【００１０】
【００１１】
このような構成の止水構造および止着帯座５では、トンネル掘削坑道などの地山側面に対して止水用複合シート１を展張止着する際、釘打ちなどの止着手段４を用いる前に、予め、帯座５を、その面ファスナー方式による係合によって、止水用複合シート１の通水性緩衝層３の面に保持しておける。従って、止着作業時に手で帯座５を保持する必要がほとんどなく、止着作業が容易になり、作業時間の短縮、作業精度の向上などが期待できる。
【００１２】
上記止着帯座５は、上記土木工事用止水構造の他、不織布の類を釘打ち等により止着するための、各種用途の止着用帯座として使用することができる。例えば、防音あるいは遮音用の内装あるいは外装用の不織布の類を、建造物の壁面あるいは床面に止着するための止着用帯座、ジュウタンの周縁を止着固定するための止着用帯座などに用いることができる。
【００１３】
【発明の実施の形態】
次に、本発明を、図１乃至図４の実施の形態１を参照して説明する。
【００１４】
本発明に係る土木工事用止水構造が適応されるトンネルは、概略、図１に示す構成である。即ち、トンネル地山１１に対して、吹き付けコンクリートよりなる１次覆工層１２が形成され、その上に、止水用複合シート１が展張止着され、その上に、コンクリートの２次覆工層１３が打設される。止水工事の施工に際しては、所定幅の止水用複合シート１がトンネルの幅方向（上下方向）に沿って、一側部から他側部にかけて展張止着され、順次他の止水用複合シート１が、その前後の縁部どうしをトンネルの前後方向に水密的に接合した状態で展張止着されている。
【００１５】
止水用複合シート１は、塩化ビニルシートやＥＶＡシートなどのプラスチック性の遮水シート２と不織布などからなる通水性緩衝層３とを重合させた構造であり、地山側に通水性緩衝層３を対面させて展張し、地山側面に、釘打ちなどの止着手段４で止着している。
【００１６】
止水用複合シート１の止着構造は、図２及び図３に示すように、止水用複合シート１の縁部において、遮水シート２の一部が剥離され、通水性緩衝層３の縁部３ａが露出される。この縁部３ａが、後述する止着用帯座５を介して、釘打ちなどの止着手段４によりトンネルの地山側面である１次覆工面に止着される。
【００１７】
そして、この実施形態１では、隣接する止水用複合シート１の縁部のそれぞれを上記の構造で止着後、隣接する遮水シート２の耳縁２ａの外面（トンネル内側面）に、これと同様のプラスチックシートにより形成されたオーバーラップシート９を水密に溶着あるいは接着することにより、隣接する止水用複合シート１が水密に接続されて、水密な止水被覆が実現できる。
【００１８】
上記実施形態１の止着用帯座５は、図４に示すように、可撓性のある硬質合成樹脂性の帯板により形成され、帯座本体５ａの裏面（地山側面）には多数の係合突起６ａが一体に形成された構造の係合面６を有し、表面（トンネル内側面）には長手方向に沿って連続する複数列のリブ片７が一体に形成されている。係合突起６ａは、先端部がフック形に折曲形成された鉤状突起よりなり、複数列断続状に形成されている。各列の係合突起６ａ間には、切り込み６ｂが形成され、切り込み６ｂの幅は略１mm〜数mmとされている。隣接する各列毎に係合突起６ａのフックの方向が前後逆方向（１列目のフックの折り曲げ方向が前方向なら、２列目のフックの折り曲げ方向は後方向）とされている。
【００１９】
係合突起６ａは、長手方向に沿った連続突条に略mm間隔でカッティング加工を施すことにより切り込み６ｂを入れて形成することが、製造上好ましい。
【００２０】
上記止水用複合シート１の止着作業時、露出された通水性緩衝層３の縁部３ａに沿って、上記止着用帯座５の裏面の係合面６を押しつけ、係合突起６ａを通水性緩衝層３の不織布の縁部３ａに面ファスナ−方式により予め係着保持させておく。この押しつけ作業時に、係合突起６ａが弾性的に変形して不織布の繊維に係合するのである。このようにして予め係着保持部させた止着用帯座５を介して、釘打ちなどの止着手段４により、トンネルの地山側面である１次覆工面に、通水性緩衝層３の縁部３ａを止着させる。
【００２１】
図５又は図６は、実施の形態２又は３に係る止着用帯座５を示す。
図５の実施の形態２の止着用帯座５は、係合突起６ａが矢印形に形成されている。矢印形は、２段に形成され、弾性を有している。
【００２２】
また、図６の実施の形態３の止着用帯座５は、表面に複数列形成されるリブ片７が、帯座本体５ａの長手方向に延びる突条を、前記長手方向に交叉して所要間隔（１mm〜数mm間隔）で切り込み７ａを形成することにより断続状に形成されている。
【００２３】
リブ片７を断続状に形成することにより、帯座５のトンネル内面に沿った曲げ作業が容易になり、止着作業中、通水性緩衝層３からの反発力により脱落することを防止できる。
【００２４】
図７及び図８は、隣接する止水用複合シートどうしの接続構造の他の実施の形態を示す。
図７の実施の形態では、隣接する一方の止水用複合シート１におけるプラスチック遮水シート２の耳縁２ａよりも、その通水性緩衝層３の耳縁３ａを、カッティングなどの手段（図示せず）で、予め、短くしておき、上述のような止着の後、その遮水シート２の耳縁２ａの延長縁部を隣接する止水用複合シート１の遮水シート２の露出面に、接着あるいは溶着などの手段で液密に装着する。これによって、隣接の止水用複合シート１、１間での水密な被覆が実現できる。
【００２５】
図８の実施形態では、隣接する両方の止水用複合シート１における遮水シート２の耳縁２ａよりも、その通水性緩衝層３の縁部３ａを、カッティングなどの手段（図示せず）で、予め、短くしておき、上述のような止着の後、その両者の遮水シート２の耳縁２ａの裏面どうしを互いに接合し、接着あるいは溶着などの手段で水密に装着する。これによって、隣接の止水用複合シート間での水密な被覆が実現できる。
【００２６】
上記の各実施形態では、止水用複合シート１をトンネルの左右方向にア−チ状に展張した例について説明している。しかしながら、止水用複合シート１をトンネルの長手方向（前後方向）に直線状に展張し、左右方向（上下方向）に隣接する止水用複合シート１の左右縁部（上下縁部）どうしを本発明にかかる止着用帯座５を介して固定し溶着するようにしてもよい。
【００２７】
【発明の効果】
本発明は、以上詳述したようになり、トンネル掘削坑道の地山側面に対して、止水用複合シートを展張止着する際、釘打ちなどの止着手段を用いる前に、予め、本発明の方法により製造した止着用帯座を、その面ファスナー方式による係合によって、止水用複合シートの通水緩衝層の面側に保持しておけるので、止着作業が容易になり、作業時間の短縮、作業精度の向上などが期待できる。止着用帯座は、本発明の方法により、その係合面又はリブ片を構成する突条を長手方向に交叉して数mm間隔で切り込みを入れて形成することにより、該突条を断続状に形成させるようにしているため、トンネル内面に沿った曲げ作業が容易になり、止着作業中、通水性緩衝層からの反発力により脱落することを防止できる長尺の止着用帯座を容易に製造することができ、製造上好ましい。
【００２８】
また、本発明の方法により製造された止着用帯座は、不織布やジュウタンを止着するための帯座として広く用いることができ、該止着作業の能率と精度を向上させることができる。
【図面の簡単な説明】
【図１】  本発明が適応されるトンネルの構造を示す断面図である。
【図２】  本発明に係る土木工事用止水構造の実施の形態１を示す分解断面図である。
【図３】  同じく、要部の断面図である。
【図４】  同じく、実施の形態１にかかる止着用帯座の縦断面図（Ａ）と横断面図（Ｂ）である。
【図５】  同じく、実施の形態２にかかる止着用帯座の縦断面図（Ａ）と横断面図（Ｂ）である。
【図６】  同じく、実施の形態３にかかる止着用帯座の縦断面図（Ａ）と横断面図（Ｂ）である。
【図７】  同じく、止水用複合シートの接続構造の他の実施の形態を示す断面図である。
【図８】  同じく、止水用複合シートの接続構造のさらに他の実施の形態を示す断面図である。
【符号の説明】
１    止水用複合シート
２    遮水シート
２ａ    耳縁
３    通水性緩衝層
３ａ    縁部
４    止着手段
５    止着用帯座
５ａ    帯座本体
６    係合面
６ａ    係合突起
６ｂ      切り込み
７    リブ片
７ａ    切り込み
９    オーバーラップシート
１１    トンネル地山
１２    １次覆工層
１３    ２次覆工層
【図１】
0004513146.tif 000002
【図２】
0004513146.tif 000003
【図３】
0004513146.tif 000004
【図４】
0004513146.tif 000005
【図５】
0004513146.tif 000006
【図６】
0004513146.tif 000007
【図７】
0004513146.tif 000008
【図８】
0004513146.tif 000009